(57)【要約】【課題】記録媒体を搬送する搬送部材と記録媒体を案内する案内部材とを有する構成において、巻掛部材が無い構成に比べて、案内部材の摩耗を抑制する。【解決手段】搬送部３２は、搬送ロール対３６と、上流側案内板４２と、接触ロール４４とを有する。搬送ロール対３６は、回転しながら用紙Ｐを挟んで搬送する。上流側案内板４２は、搬送方向における搬送ロール対３６よりも上流側でかつ用紙Ｐと接触する位置に配置され、用紙Ｐが搬送経路Ａに沿って搬送されるように用紙Ｐを案内する案内面４２Ａを有する。接触ロール４４は、用紙Ｐの引抜き方向における案内板４２よりも下流側に設けられ、用紙Ｐの上流側案内板４２で案内される側の面ＰＢが引抜きに伴って巻き掛けられる。【選択図】図２
2018146743.tif 000002
【特許請求の範囲】
【請求項１】
回転しながら記録媒体を挟んで搬送する搬送部材と、
記録媒体の搬送方向における前記搬送部材よりも上流側又は下流側でかつ記録媒体と接触する位置に配置され、記録媒体が搬送経路に沿って搬送されるように記録媒体を案内する案内面を有する案内部材と、
記録媒体を引抜くときの引抜き方向における前記案内部材よりも下流側に設けられ、記録媒体の前記案内部材で案内される側の面が引抜きに伴って巻き掛けられる巻掛部材と、
を有する搬送装置。
【請求項２】
前記巻掛部材は、記録媒体の引抜きに伴って回転する請求項１に記載の搬送装置。
【請求項３】
前記巻掛部材は、搬送される記録媒体の搬送方向と直交する方向の幅以上の長さを有する円柱の部材で構成されている請求項２に記載の搬送装置。
【請求項４】
前記巻掛部材は、前記案内面の表面粗さよりも表面粗さが小さい表面を有する請求項１から請求項３のいずれか１項に記載の搬送装置。
【請求項５】
前記搬送部材の回転によって搬送される記録媒体の一方側の面には現像剤像が形成され、
前記巻掛部材が、記録媒体の現像剤像が形成された側の面とは反対側の面と接触する請求項１から請求項４のいずれか１項に記載の搬送装置。
【請求項６】
記録媒体に現像剤像を形成する現像剤像形成手段と、
前記現像剤像形成手段によって現像剤像が形成された記録媒体を搬送する請求項１から請求項５のいずれか１項に記載の搬送装置と、
を有する画像形成装置。
【発明の詳細な説明】
【技術分野】
【０００１】
本発明は、搬送装置及び画像形成装置に関する。
【背景技術】
【０００２】
特許文献１の画像形成装置は、垂直方向に並んだ作像部と定着部との間の用紙搬送経路での用紙搬送が、作像部の用紙送りと定着部の挟持搬送とによって行われ、用紙ガイドが用紙の加圧ローラへの接触を防止するように配置されている。さらに、定着ニップ部での定着ローラの用紙進入側先端の接線が、作像部における転写部で転写部材側を通るような関係を有している。
【先行技術文献】
【特許文献】
【０００３】
【特許文献１】特開２０００−５６５９９号公報
【発明の概要】
【発明が解決しようとする課題】
【０００４】
記録媒体を搬送する搬送部材と記録媒体を案内する案内部材とを有する搬送装置がある。この構成では、記録媒体が詰まるなどして搬送停止状態となったときに、記録媒体が、搬送方向とは異なる方向に引抜かれ、装置の外側に取り出される。ここで、記録媒体を搬送方向とは異なる方向に引抜いた場合に、記録媒体と案内部材とが接触して、案内部材が摩耗する可能性がある。
【０００５】
本発明は、記録媒体を搬送する搬送部材と記録媒体を案内する案内部材とを有する構成において、巻掛部材が無い構成に比べて、案内部材の摩耗を抑制することを目的とする。
【課題を解決するための手段】
【０００６】
本発明の請求項１に係る搬送装置は、回転しながら記録媒体を挟んで搬送する搬送部材と、記録媒体の搬送方向における前記搬送部材よりも上流側又は下流側でかつ記録媒体と接触する位置に配置され、記録媒体が搬送経路に沿って搬送されるように記録媒体を案内する案内面を有する案内部材と、記録媒体を引抜くときの引抜き方向における前記案内部材よりも下流側に設けられ、記録媒体の前記案内部材で案内される側の面が引抜きに伴って巻き掛けられる巻掛部材と、を有する。
【０００７】
本発明の請求項２に係る搬送装置の前記巻掛部材は、記録媒体の引抜きに伴って回転する。
【０００８】
本発明の請求項３に係る搬送装置の前記巻掛部材は、搬送される記録媒体の搬送方向と直交する方向の幅以上の長さを有する円柱の部材で構成されている。
【０００９】
本発明の請求項４に係る搬送装置の前記巻掛部材は、前記案内面の表面粗さよりも表面粗さが小さい表面を有する。
【００１０】
本発明の請求項５に係る搬送装置の前記搬送部材の回転によって搬送される記録媒体の一方側の面には現像剤像が形成され、前記案内部材及び前記巻掛部材が、記録媒体の現像剤像が形成された側の面とは反対側の面と接触する。
【００１１】
本発明の請求項６係る画像形成装置は、記録媒体に現像剤像を形成する現像剤像形成手段と、前記現像剤像形成手段によって現像剤像が形成された記録媒体を搬送する請求項１から請求項５のいずれか１項に記載の搬送装置と、を有する。
【発明の効果】
【００１２】
請求項１の発明は、記録媒体を搬送する搬送部材と記録媒体を案内する案内部材とを有する構成において、巻掛部材が無い構成に比べて、案内部材の摩耗を抑制することができる。
【００１３】
請求項２の発明は、固定された巻掛部材に対して記録媒体が滑る構成に比べて、記録媒体の引抜抵抗力を低下させることができる。
【００１４】
請求項３の発明は、巻掛部材が大径部と小径部とを交互に並べている構成に比べて、記録媒体を引抜くときに記録媒体が巻掛部材に引っ掛かるのを抑制することができる。
【００１５】
請求項４の発明は、巻掛部材の表面の表面粗さが案内部材の案内面の表面粗さよりも大きい構成に比べて、巻掛部材と記録媒体との接触により生じる引抜抵抗力を低減することができる。
【００１６】
請求項５の発明は、巻掛部材が記録媒体の現像剤像が形成された側の面と接触する構成に比べて、巻掛部材が現像剤によって汚れるのを抑制できる。
【００１７】
請求項６の発明は、請求項１から請求項５のいずれか１項に記載の搬送装置を有さない構成に比べて、案内部材の摩耗粉が画像形成装置の各部に飛散するのを抑制することができる。
【図面の簡単な説明】
【００１８】
【図１】第１実施形態に係る画像形成装置を示す構成図である。
【図２】第１実施形態に係る定着装置と用紙の搬送経路及び引抜経路とを示す説明図である。
【図３】第１実施形態に係る定着装置において用紙を引抜く状態を示す説明図である。
【図４】（Ａ）第１実施形態の変形例に係る接触ロールを示す説明図であり、（Ｂ）第１実施形態の変形例に係る接触ロールを用いて用紙を引抜く状態を示す説明図である。
【図５】第２実施形態に係る定着装置と用紙の搬送経路及び引抜経路とを示す説明図である。
【図６】第２実施形態に係る定着装置において用紙を引抜く状態を示す説明図である。
【図７】（Ａ）第３実施形態に係る定着装置と用紙の搬送経路とを示す説明図であり、（Ｂ）第３実施形態に係る定着装置において用紙を引抜く状態を示す説明図である。
【図８】（Ａ）、（Ｂ）、（Ｃ）他の変形例に係る巻掛部材を示す説明図である。
【発明を実施するための形態】
【００１９】
[第１実施形態]
本実施形態に係る搬送装置及び画像形成装置の一例について説明する。
【００２０】
〔全体構成〕
図１には、第１実施形態の画像形成装置１０が示されている。なお、以下の説明では、図１に矢印Ｙで示す方向を装置高さ方向、矢印Ｘで示す方向を装置幅方向とする。また、装置高さ方向及び装置幅方向のそれぞれに直交する方向（Ｚで示す）を装置奥行き方向とする。そして、画像形成装置１０を正面視して、装置高さ方向、装置幅方向、装置奥行き方向をＹ方向、Ｘ方向、Ｚ方向と記載する。さらに、Ｘ方向、Ｙ方向、Ｚ方向のそれぞれ一方側と他方側を区別する必要がある場合は、画像形成装置１０を正面視して、上側をＹ側、下側を−Ｙ側、右側をＸ側、左側を−Ｘ側、奥側をＺ側、前側を−Ｚ側と記載する。
【００２１】
画像形成装置１０は、箱状に形成された筐体１２を有する。筐体１２は、−Ｚ側から正面視してＸ側でかつＹ側の部位がＬ字状に切り欠かれている。この切り欠かれた部位を開口部１４と称する。開口部１４には、Ｚ方向を軸方向として回転可能とされたヒンジ部１６が設けられている。ヒンジ部１６の可動部分には、カバー部材１８の−Ｙ側端部が取付けられている。カバー部材１８は、ヒンジ部１６を中心として、開口部１４を閉じる閉止位置と、開口部１４を開放する開放位置とに円弧状に移動可能とされている。なお、カバー部材１８は、後述する定着装置３０及び定着装置３０の周辺部を閉止位置において覆い、開放位置において筐体１２から露出させる。
【００２２】
画像形成装置１０は、用紙Ｐを搬送経路Ａに沿って搬送する搬送ユニット２２と、搬送ユニット２２により搬送される用紙Ｐ上にトナーＴを用いてトナー像Ｇを形成する画像形成部２４と、トナー像Ｇを加熱及び加圧して用紙Ｐに定着する定着装置３０と、を有する。搬送ユニット２２は、搬送経路Ａに沿って用紙Ｐを搬送するロール対２３を有する。用紙Ｐは、記録媒体の一例である。トナーＴは、現像剤の一例である。トナー像Ｇは現像剤像の一例である。画像形成部２４は、現像剤像形成手段の一例である。
【００２３】
（搬送経路）
搬送経路Ａは、用紙Ｐがロール対２３や図示しない部材によって搬送及び案内されることで、用紙Ｐが通過する設計上の経路である。また、搬送経路Ａは、一例として、筐体１２の−Ｙ側の部位（下部）から定着装置３０の後述する上流側案内板４２までＹ方向に沿って延びている。さらに、搬送経路Ａは、上流側案内板４２から定着装置３０を通って排出口１９まで、斜め方向に延びている。斜め方向は、具体的には、−Ｘ側がＸ側よりもＹ側に位置するように延びる方向である。
【００２４】
（引抜経路）
上流側案内板４２の周辺部でかつ搬送経路Ａが設定された部位とは異なる部位には、定着装置３０で用紙Ｐが詰まるなどした場合に用紙Ｐを引抜くための引抜経路Ｂが設定されている。なお、引抜経路Ｂとは、使用者によって用紙Ｐが引抜かれる場合に、用紙Ｐが通過すると考えられる仮想の経路であり、後述する接触ロール４４以外の案内部材は設けられていない。引抜経路Ｂは、一例として、上流側案内板４２からＸ側に向けて、Ｘ方向に延びている。また、引抜経路Ｂは、用紙Ｐを引抜く必要が無い通常の使用状態では、カバー部材１８により覆われている。そして、引抜経路Ｂの少なくとも用紙Ｐの引抜き端側は、用紙Ｐを引抜く必要がある場合に、カバー部材１８を開放位置に移動させることで露出されるようになっている。
【００２５】
画像形成部２４は、複数の画像形成ユニット２６と、複数の画像形成ユニット２６の各部の動作を制御して用紙Ｐ上にトナー像Ｇを形成させる制御部２８とを有している。画像形成ユニット２６は、一例として、公知の電子写真方式である帯電、露光、現像、転写の各工程を行うように構成されている。
【００２６】
〔要部構成〕
次に、定着装置３０及び搬送部３２について説明する。
【００２７】
図２に示す定着装置３０は、搬送装置の一例としての搬送部３２と、加熱源の一例としての加熱部３４とを有する。加熱部３４及び搬送部３２は、定着装置３０の装置本体となる図示しない筐体内に収容されている。この筐体には、用紙検知センサ３５が設けられている。用紙検知センサ３５は、一例として、発光部３５Ａと受光部３５Ｂとを有する光学式のセンサで構成されており、受光部３５Ｂでの光の受光の有無に基づいて、検知信号を制御部２８（図１参照）に送るようになっている。
【００２８】
なお、搬送経路Ａにおける用紙Ｐへのトナー像Ｇの転写を行う転写部よりも下流側でかつ定着装置３０よりも上流側には、図示しない他の用紙検知センサが設けられている。そして、制御部２８は、設定された時間内に他の用紙検知センサで用紙が検知されかつ用紙検知センサ３５で用紙Ｐの通過が検知されない場合に、定着装置３０内に用紙Ｐが残存する状態であると判定して、用紙Ｐの引抜きが必要であることのメッセージを画像形成装置１０（図１参照）の図示しない表示パネルに表示させる。
【００２９】
＜搬送部＞
搬送部３２は、搬送部材の一例としての搬送ロール対３６と、案内部材の一例としての上流側案内板４２と、巻掛部材の一例としての接触ロール４４とを有する。また、搬送部３２は、画像形成部２４（図１参照）によってトナー像Ｇが形成された用紙Ｐを搬送する。
【００３０】
（搬送ロール対）
搬送ロール対３６は、定着回転体の一例としての定着ロール５２と、加圧回転体の一例としての加圧ロール５４とを有する。
【００３１】
定着ロール５２は、一例として、アルミニウムからなる円筒状の芯金５２Ａの外周面にシリコンゴム製の弾性体層及びフッ素樹脂製の離型層を含む被覆部５２Ｂが形成された構成とされている。また、定着ロール５２は、用紙Ｐの搬送経路Ａに対して、トナー像Ｇ側にＺ方向を軸方向として、該軸周りに回転可能に配置されている。つまり、定着ロール５２は、搬送される用紙Ｐの搬送方向と直交するＺ方向を軸方向として回転するようになっている。芯金５２Ａの内側には、後述する加熱部３４が設けられている。
【００３２】
芯金５２ＡのＺ側端部には、図示しないギヤが設けられている。このギヤは、図示しない駆動手段であるモータにより回転されるようになっている。さらに、定着ロール５２は、加熱部３４によって加熱されることにより、後述するニップ部ＮでトナーＴ（図１参照）を溶融すると共に加圧して、用紙Ｐ上のトナー像Ｇを用紙Ｐに定着するようになっている。なお、定着ロール５２の回転中心位置を位置ＯＡと称する。
【００３３】
加圧ロール５４は、一例として、アルミニウムからなる円筒状の芯金５４Ａの外周面にシリコンゴム製の弾性体層及びフッ素樹脂製の離型層を含む被覆部５４Ｂが形成された構成とされている。また、加圧ロール５４は、用紙Ｐの搬送経路Ａに対して、トナー像Ｇ側とは反対側にＺ方向を軸方向として、該軸周りに回転可能に配置されている。さらに、加圧ロール５４は、図示しないバネを含むリトラクト機構部によって、定着ロール５２を加圧する加圧位置と、定着ロール５２から離れる退避位置とに移動可能とされている。
【００３４】
ここで、加圧ロール５４の外周面が定着ロール５２の外周面を加圧することにより、ニップ部Ｎが形成される。ニップ部Ｎでは、用紙Ｐが挟まれて加圧される。ニップ部Ｎに用紙Ｐが無い状態でかつ加圧状態では、加圧ロール５４と定着ロール５２とが接触する。このように構成することで、加圧ロール５４は、定着ロール５２の回転に伴って従動回転するようになっている。そして、定着ロール５２及び加圧ロール５４は、回転しながら用紙Ｐを挟んで搬送する。なお、加圧ロール５４の回転中心位置を位置ＯＢと称する。
【００３５】
（上流側案内板）
上流側案内板４２は、耐熱性の樹脂で構成されている。また、上流側案内板４２は、用紙Ｐの搬送方向における搬送ロール対３６よりも上流側で用紙Ｐと接触する位置に配置されている。さらに、上流側案内板４２は、用紙Ｐが搬送経路Ａに沿って搬送されニップ部Ｎに進入するように、用紙Ｐを案内する。加えて、上流側案内板４２は、用紙Ｐをニップ部Ｎに向けて案内するときに、用紙Ｐのトナー像Ｇが形成された一方側の面ＰＡとは反対側の面ＰＢと接触する。
【００３６】
具体的には、上流側案内板４２は、Ｚ方向を長手方向とし、用紙Ｐの搬送方向を短手方向とする矩形状に形成されている。また、上流側案内板４２は、一例として、平板状に形成されている（湾曲されていない）。さらに、上流側案内板４２は、Ｚ方向から見た場合に、Ｙ側端部が−Ｙ側端部に対して−Ｘ側に位置するように傾斜配置されている。
【００３７】
上流側案内板４２の搬送経路Ａ側の面でかつ用紙Ｐの面ＰＢと接触し、用紙Ｐを搬送方向に案内する面を案内面４２Ａと称する。また、案内面４２ＡをＺ方向から見た場合に、案内面４２Ａと用紙Ｐとが接触する位置（搬送ロール対３６によって用紙Ｐが挟まれた状態で、用紙Ｐが接触する可能性がある位置）を位置Ｍ１と称する。さらに、案内面４２ＡをＺ方向から見た場合に、案内面４２Ａの延長線となる線を仮想線Ｋ１と称する。仮想線Ｋ１は、ニップ部Ｎよりも加圧ロール５４の位置ＯＢ側に位置している。また、仮想線Ｋ１は、搬送経路Ａに対してＸ側に位置している。
【００３８】
（接触ロール）
接触ロール４４は、Ｚ方向を回転軸方向とする円柱の部材で構成されている。言い換えると、接触ロール４４は、−Ｚ側からＺ側までの用紙Ｐと接触する範囲において、Ｚ方向に外径が同じ大きさとされている。接触ロール４４のＺ方向の長さは、使用される用紙Ｐの中で最大サイズとなる用紙ＰのＺ方向の幅以上の長さとされている。また、接触ロール４４は、ステンレス鋼製とされており、上流側案内板４２の案内面４２Ａの表面粗さ（一例として６．５μｍ）よりも小さい表面粗さ（一例として０．８μｍ）の表面４５を有する。表面粗さは、Ｒａ（算術平均粗さ）である。さらに、接触ロール４４は、用紙Ｐを引抜くときの引抜き方向（ニップ部Ｎに対してＸ側に離れる方向でありかつ引抜経路Ｂに沿った方向）における上流側案内板４２よりも下流側に設けられている。
【００３９】
また、接触ロール４４は、引抜経路Ｂに対してＹ側（加圧ロール５４、上流側案内板４２が設けられた側）に配置され、Ｚ方向を軸方向として、図示しないブラケットによって回転可能に支持されている。具体的には、接触ロール４４は、Ｚ方向から見た場合に、回転中心となる位置ＯＣが引抜経路Ｂに対するＹ側でかつ仮想線Ｋ１に対するＸ側に位置するように配置されている。さらに、接触ロール４４は、表面４５（外周面）の一部が、搬送経路Ａに対するＸ側でかつ仮想線Ｋ１に対する−Ｘ側に位置する（仮想線Ｋ１よりも引抜経路Ｂ側に位置する）ように配置されている。
【００４０】
加えて、接触ロール４４は、用紙Ｐをニップ部Ｎから引抜くときに、用紙Ｐの面ＰＢと接触する。具体的には、接触ロール４４には、用紙Ｐの上流側案内板４２で案内される側の面ＰＢが引抜きに伴って巻き掛けられる。そして、接触ロール４４は、用紙Ｐの引抜きに伴って回転する構成とされている。
【００４１】
＜加熱部＞
加熱部３４は、一例として、ハロゲンヒータ３７と、画像形成装置１０（図１参照）の図示しない電源とを有している。ハロゲンヒータ３７は、図示しない電源からの通電により発熱し、定着ロール５２の芯金５２Ａを加熱することで、定着ロール５２全体を加熱するようになっている。ハロゲンヒータ３７への通電の有無は、定着ロール５２の外周面の温度を検知する図示しない温度センサの検知結果に基づいて、制御部２８（図１参照）により行われる。
【００４２】
[作用]
次に、第１実施形態の作用について説明する。
【００４３】
図２に示す搬送部３２及び定着装置３０では、搬送経路Ａに沿って搬送されてきた用紙ＰのＹ側の先端が、上流側案内板４２の案内面４２Ａと接触することにより、ニップ部Ｎに向かう方向に案内される。そして、用紙Ｐが、ニップ部Ｎに進入して定着ロール５２及び加圧ロール５４によって搬送されると共に、用紙Ｐ上のトナー像Ｇが加熱及び加圧されて用紙Ｐに定着される。
【００４４】
搬送途中で用紙Ｐがニップ部Ｎに詰まるなどして、用紙検知センサ３５による用紙Ｐの搬送不良が検知された場合は、制御部２８（図１参照）が定着ロール５２の回転駆動（搬送動作）を停止させ、図示しない表示パネルにて用紙Ｐの引抜きが要ることを報知する。すると、図１に示す画像形成装置１０において、使用者がカバー部材１８を開放位置に移動し、引抜経路Ｂが露出される。そして、搬送経路Ａではなく、引抜経路Ｂに沿った用紙Ｐの引抜きが行われる。
【００４５】
ここで、図３に示すように、搬送部３２では、引抜き動作によって、接触ロール４４が用紙Ｐの面ＰＢと接触して用紙Ｐを引抜経路Ｂに対するＹ側から支持することで、用紙Ｐにおけるニップ部Ｎと接触ロール４４との間の部位に張力が作用する。これにより、用紙Ｐが上流側案内板４２に対して離れる側（−Ｙ側）に変位するので、接触ロール４４が無い構成に比べて、上流側案内板４２の摩耗が抑制される。
【００４６】
また、搬送部３２では、接触ロール４４が用紙Ｐと接触したときに、用紙Ｐの移動に伴いＺ方向を軸方向として従動回転する。これにより、固定された接触ロール４４に対して用紙Ｐが滑る構成に比べて、接触ロール４４と用紙Ｐとの接触による摩擦力が低下するので、用紙Ｐの引抜抵抗力が低下される。
【００４７】
さらに、搬送部３２では、接触ロール４４が円柱の部材で構成されている。このため、用紙Ｐを引抜くときに、Ｚ方向の中央部と両端部とにおいて、接触ロール４４と用紙Ｐとの接触状態が変わり難くなる。つまり、搬送部３２では、接触ロール４４の外周面に凹凸が形成されていないので、接触ロール４４が大径部と小径部とを交互に並べている構成に比べて、用紙Ｐを引抜くときに用紙Ｐが接触ロール４４に引っ掛かることが抑制される。
【００４８】
加えて、搬送部３２では、接触ロール４４の表面４５の表面粗さが、上流側案内板４２の案内面４２Ａの表面粗さよりも小さい。このため、用紙Ｐと表面４５との接触により生じる摩擦力が、表面４５の表面粗さが案内面４２Ａの表面粗さよりも大きい構成において生じる摩擦力に比べて小さくなる。これにより、用紙Ｐを引抜くときに接触ロール４４と用紙Ｐとの接触により生じる引抜抵抗力が、表面４５の表面粗さが案内面４２Ａの表面粗さよりも大きい構成の引抜抵抗力に比べて低減される。
【００４９】
また、搬送部３２では、上流側案内板４２及び接触ロール４４が、用紙Ｐのトナー像Ｇが形成された側の面ＰＡとは反対側の面ＰＢと接触する。これにより、上流側案内板４２及び接触ロール４４が面ＰＡと接触する構成に比べて、接触ロール４４がトナー像Ｇ（トナーＴ（図１参照））によって汚れることが抑制される。
【００５０】
図１に示す画像形成装置１０では、接触ロール４４を有していない構成に比べて案内面４２Ａの摩耗が抑制される。これにより、上流側案内板４２の摩耗粉が画像形成装置１０の各部に飛散することが抑制される。
【００５１】
＜変形例＞
図４（Ａ）、（Ｂ）には、搬送部３２（図２参照）の変形例として、搬送装置の一例としての搬送部６０が示されている。なお、前述した第１実施形態と基本的に同一の部材及び部位には、前記第１実施形態と同一の符号を付与してその説明を省略する。
【００５２】
搬送部６０は、搬送ロール対３６と、上流側案内板４２と、接触ロール４４とを有する。また、搬送部６０は、画像形成部２４（図１参照）によってトナー像Ｇが形成された用紙Ｐを搬送する。接触ロール４４は、図示しないブラケットに形成された長孔によって案内されることで、仮想線Ｋ１に対して搬送経路Ａ側に一部が露出する露出位置と、上流側案内板４２に対して搬送経路Ａ側とは反対側に位置する退避位置とに移動可能とされている。
【００５３】
また、搬送部６０の接触ロール４４のＺ方向両端部には、接触ロール４４を既述の移動方向に沿って移動させる移動手段の一例としてのソレノイド６２と、接触ロール４４をソレノイド６２に向けて押付ける図示しないコイルバネとが設けられている。ソレノイド６２は、図示しないブラケットに固定された本体部６２Ａと、本体部６２Ａに対して移動するプランジャ６２Ｂとを有する。また、ソレノイド６２は、制御部２８（図１参照）によって、用紙Ｐの引抜き作業の要否に応じた移動、退避の動作が制御されている。
【００５４】
プランジャ６２Ｂは、本体部６２Ａへの通電によって、本体部６２Ａに収容される収容位置と、本体部６２Ａから外側へ突出する突出位置とに移動可能とされている。また、プランジャ６２Ｂの先端は、接触ロール４４のＺ方向の両端部に設けられた図示しない軸受と接触している。接触ロール４４の移動方向とプランジャ６２Ｂの移動方向とは揃えられている。つまり、プランジャ６２Ｂが突出位置に移動することにより、接触ロール４４の一部が露出位置に移動される（搬送経路Ａ側に露出される）。また、プランジャ６２Ｂが収容位置に移動することにより、接触ロール４４が退避位置に移動される。
【００５５】
ここで、図４（Ａ）に示すように、用紙Ｐの引抜き作業が不要の場合は、接触ロール４４が退避位置に位置している。一方、図４（Ｂ）に示すように、用紙Ｐの引抜き作業が必要の場合は、接触ロール４４がソレノイド６２によって露出位置に移動され、用紙Ｐと接触する。このように、用紙Ｐの引抜き作業が不要の場合に接触ロール４４を退避させることで、用紙Ｐの引抜き作業が不要の場合（用紙Ｐが通常の搬送状態である場合）に、用紙Ｐが接触ロール４４と接触することが抑制される。
【００５６】
[第２実施形態]
次に、第２実施形態に係る搬送装置及び画像形成装置の一例について説明する。なお、前述した第１実施形態と基本的に同一の部材及び部位には、前記第１実施形態と同一の符号を付与してその説明を省略する。
【００５７】
図５には、第２実施形態の画像形成装置７０の一部が示されている。画像形成装置７０は、第１実施形態の画像形成装置１０（図１参照）において、定着装置３０（図１参照）に換えて定着装置８０が設けられている。また、引抜経路Ｂ（図１参照）に換えて、引抜経路Ｃが設けられている。定着装置８０及び引抜経路Ｃ以外の構成は、画像形成装置１０と同様とされている。
【００５８】
（引抜経路）
後述する定着装置８０の下流側案内板８４の周辺部でかつ搬送経路Ａとは異なる部位には、定着装置８０で用紙Ｐが詰まるなどした場合に用紙Ｐを引抜くための引抜経路Ｃが設けられている。なお、引抜経路Ｃとは、使用者によって用紙Ｐが引抜かれる場合に、用紙Ｐが通過すると考えられる仮想の経路であり、後述する接触ロール８６以外の案内部材は設けられていない。
【００５９】
引抜経路Ｃは、一例として、下流側案内板８４からＹ側に向けて延びる部位と、Ｙ側の上端からＸ側に向けてＸ方向に延びる部位とを有する。また、引抜経路Ｃは、用紙Ｐを引抜く必要が無い通常の使用状態では、カバー部材１８（図１参照）により覆われている。そして、引抜経路Ｃの少なくとも用紙Ｐの引抜き端側は、用紙Ｐを引抜く必要がある場合に、カバー部材１８を開放位置に移動させることで露出されるようになっている。
【００６０】
定着装置８０は、搬送装置の一例としての搬送部８２と、加熱部３４とを有する。加熱部３４と、搬送部８２の一部とは、定着装置８０の装置本体となる図示しない筐体内に収容されている。また、用紙Ｐの搬送方向における定着装置８０の下流側には、用紙検知センサ３５が設けられている。そして、制御部２８（図１参照）では、設定された時間内に用紙Ｐの通過が検知されない場合に、定着装置８０内に用紙Ｐが残存する状態であると判定して、画像形成装置７０の図示しない表示パネルに、用紙Ｐの引抜きが必要であることのメッセージを表示させる。
【００６１】
＜搬送部＞
搬送部８２は、搬送ロール対３６と、上流側案内板４２と、案内部材の一例としての下流側案内板８４と、巻掛部材の一例としての接触ロール８６とを有する。また、搬送部８２は、画像形成部２４（図１参照）によってトナー像Ｇが形成された用紙Ｐを搬送する。
【００６２】
（下流側案内板）
下流側案内板８４は、耐熱性の樹脂で構成されている。また、下流側案内板８４は、用紙Ｐの搬送方向における搬送ロール対３６よりも下流側でかつ搬送経路Ａに対する加圧ロール５４側であり用紙Ｐと接触する位置に配置されている。さらに、下流側案内板８４は、ニップ部Ｎから排出された用紙Ｐを搬送経路Ａに沿って案内する。加えて、下流側案内板８４は、用紙Ｐのトナー像Ｇが定着された面ＰＡとは反対側の面ＰＢと接触する。
【００６３】
具体的には、下流側案内板８４は、Ｚ方向を長手方向とし、用紙Ｐの搬送方向を短手方向とする矩形状に形成されている。また、下流側案内板８４は、一例として、平板状に形成されている（湾曲されていない）。さらに、下流側案内板８４は、Ｚ方向から見た場合に、Ｙ側の端部が−Ｙ側の端部に対して−Ｘ側に位置するように傾斜配置されている。
【００６４】
下流側案内板８４の搬送経路Ａ側の面でかつ用紙Ｐの面ＰＢと接触し、用紙Ｐを搬送方向に案内する面を案内面８４Ａと称する。また、案内面８４ＡをＺ方向から見た場合に、案内面８４Ａと用紙Ｐとが接触する位置（搬送ロール対３６によって用紙Ｐが挟まれた状態で、用紙Ｐが接触する可能性がある位置）を位置Ｍ２と称する。さらに、案内面８４ＡをＺ方向から見た場合に、案内面８４Ａの延長線となる線を仮想線Ｋ２と称する。仮想線Ｋ２は、ニップ部Ｎよりも加圧ロール５４の位置ＯＢ側に位置している。また、仮想線Ｋ２は、搬送経路Ａに対してＸ側かつＹ側に位置している。
【００６５】
（接触ロール）
接触ロール８６は、Ｚ方向を回転軸方向とする円柱状に形成されている。言い換えると、接触ロール８６は、−Ｚ側からＺ側までＺ方向に外径がほぼ同じ大きさとされている。接触ロール８６のＺ方向の長さは、使用される用紙Ｐの中で最大サイズとなる用紙ＰのＺ方向の幅以上の長さとされている。また、接触ロール８６は、一例として、ステンレス鋼製とされており、下流側案内板８４の案内面８４Ａの表面粗さ（一例として６．５μｍ）よりも小さい表面粗さ（一例として０．８μｍ）の表面８７を有する。表面粗さは、Ｒａ（算術平均粗さ）である。さらに、接触ロール８６は、用紙Ｐの引抜き方向における下流側案内板８４よりも下流側に設けられている。
【００６６】
また、接触ロール８６は、引抜経路Ｃに対して−Ｙ側（加圧ロール５４、下流側案内板８４が設けられた側）に配置され、Ｚ方向を軸方向として、図示しないブラケットによって回転可能に支持されている。具体的には、接触ロール８６は、Ｚ方向から見た場合に、回転中心となる位置ＯＤが引抜経路Ｃに対する−Ｙ側でかつ仮想線Ｋ２に対するＸ側に位置するように配置されている。さらに、接触ロール８６は、表面８７（外周面）が、搬送経路Ａ及び仮想線Ｋ２に対するＹ側に位置するように配置されている。
【００６７】
加えて、接触ロール８６は、用紙Ｐをニップ部Ｎから引抜くときに、用紙Ｐの面ＰＢと接触する。具体的には、接触ロール４４には、用紙Ｐの下流側案内板８４で案内される側の面ＰＢが引抜きに伴って巻き掛けられる。そして、接触ロール４４は、用紙Ｐの引抜きに伴って回転する構成とされている。
【００６８】
[作用]
次に、第２実施形態の作用について説明する。
【００６９】
図６に示す搬送部８２及び定着装置８０では、ニップ部Ｎから排出された用紙Ｐの先端が、下流側案内板８４の案内面８４Ａと接触することにより、搬送経路Ａの下流側に案内される。搬送途中で用紙Ｐがニップ部Ｎに詰まるなどして、用紙検知センサ３５による用紙Ｐの搬送不良が検知された場合は、制御部２８（図１参照）が定着ロール５２の回転駆動（搬送動作）を停止させ、図示しない表示パネルにて用紙Ｐの引抜きを報知する。続いて、カバー部材１８（図１参照）が開放位置に移動され、引抜経路Ｃが露出される。そして、搬送経路Ａではなく、引抜経路Ｃに沿った用紙Ｐの引抜きが行われる。
【００７０】
搬送部８２では、接触ロール８６が用紙Ｐの面ＰＢと接触して用紙Ｐを引抜経路Ｃに対する−Ｙ側から支持することで、用紙Ｐにおけるニップ部Ｎと接触ロール８６との間の部位に張力が作用する。ここで、仮想線Ｋ２の方向と、用紙Ｐが下流側案内板８４の下流側端部から引き抜かれる方向とが成す角度は、接触ロール８６が無い構成に比べて、搬送部８２の方が大きくなる。言い換えると、搬送部８２では、接触ロール８６が無い構成に比べて、用紙Ｐが下流側案内板８４の端部と接触し難くなるので、下流側案内板８４の摩耗が抑制される。
【００７１】
また、搬送部８２では、接触ロール８６が用紙Ｐと接触したときに、用紙Ｐの移動に伴いＺ方向を軸方向として従動回転する。言い換えると、用紙Ｐが引抜経路Ｃに沿って移動するように回転する。これにより、固定された接触ロール８６に対して用紙Ｐが滑る構成に比べて、接触ロール８６と用紙Ｐとの接触による摩擦力が低下するので、用紙Ｐの引抜抵抗力が低下される。
【００７２】
さらに、搬送部８２では、接触ロール８６が円柱状に形成されている。このため、用紙Ｐを引抜くときに、Ｚ方向の中央部と両端部とにおいて、接触ロール８６と用紙Ｐとの接触状態が変わり難くなる。つまり、搬送部８２では、接触ロール８６の外周面に凹凸が形成されていないので、接触ロール８６が大径部と小径部とを交互に並べている構成に比べて、用紙Ｐを引抜くときに用紙Ｐが接触ロール８６に引っ掛かることが抑制される。
【００７３】
加えて、搬送部８２では、接触ロール８６の表面８７の表面粗さが、下流側案内板８４の案内面８４Ａの表面粗さよりも小さい。このため、用紙Ｐと表面８７との接触により生じる摩擦力が、表面８７の表面粗さが案内面８４Ａの表面粗さよりも大きい構成において生じる摩擦力に比べて小さくなる。これにより、用紙Ｐを引抜くときに接触ロール８６と用紙Ｐとの接触により生じる摩擦力が、表面８７の表面粗さが案内面８４Ａの表面粗さよりも大きい構成に比べて低減される。
【００７４】
また、搬送部８２では、下流側案内板８４及び接触ロール８６が、用紙Ｐのトナー像Ｇが形成された側の面ＰＡとは反対側の面ＰＢと接触する。これにより、接触ロール８６が面ＰＡと接触する構成に比べて、接触ロール８６が定着後のトナー像Ｇ（トナーＴ（図１参照））との接触によって汚れることが抑制される。
【００７５】
画像形成装置７０では、接触ロール８６を有していない構成に比べて下流側案内板８４の摩耗が抑制される。これにより、搬送部８２を有していない構成に比べて、下流側案内板８４の摩耗粉が画像形成装置７０の各部に飛散することが抑制される。
【００７６】
[第３実施形態]
次に、第３実施形態に係る搬送装置の一例について説明する。なお、前述した構成と基本的に同一の部材及び部位には、前述した構成と同一の符号を付与してその説明を省略する。
【００７７】
図７（Ａ）には、第３実施形態の転写装置９０が示されている。転写装置９０は、搬送装置の一例としての搬送部９２と、電源９３とを有する。搬送部９２は、搬送部材の一例としての感光体９４及び転写ロール９５と、下流側案内板８４と、接触ロール４４とを有する。また、転写装置９０には、Ｘ方向に沿って延びる搬送経路Ｄと、用紙Ｐが搬送経路Ｄに対してＸ側に向かうほど−Ｙ側に位置する斜め方向に引抜かれる引抜経路Ｅと、が設定されている。引抜経路Ｅは、用紙Ｐを引抜く必要が無い通常の使用状態では、図示しないカバー部材により覆われている。そして、引抜経路Ｅの少なくとも用紙Ｐの引抜き端側は、用紙Ｐを引抜く必要がある場合に、カバー部材を開放位置に移動させることで露出されるようになっている。
【００７８】
感光体９４は、円筒状に形成されており、Ｚ方向を回転軸方向として、図示しないブラケットにより回転可能に支持されている。また、感光体９４は接地されている。感光体９４の外周面と対向する位置には、感光体９４の外周面を帯電させる帯電ロール９６と、感光体９４の外周面を露光する露光ユニット９７と、トナーＴを用いて現像する現像ユニット９８と、感光体９４を清掃するクリーニング部材９９とが設けられている。
【００７９】
転写ロール９５は、円柱状に形成されており、Ｚ方向を回転軸方向として、図示しないブラケットにより回転可能に支持されている。転写ロール９５の外周面の一部は、感光体９４の外周面の一部とＹ方向に対向配置されている。そして、感光体９４及び転写ロール９５は、回転しながら用紙Ｐを挟んで搬送するようになっている。また、転写ロール９５には、電源９３が電気的に接続されている。
【００８０】
ここで、帯電ロール９６による帯電と露光ユニット９７による露光とによって感光体９４の外周面に形成された潜像を、現像ユニット９８のトナーＴを用いて現像することで、感光体９４の外周面にトナー像Ｇが形成される。そして、転写装置９０は、電源９３によって転写ロール９５と感光体９４との間に電位差が生じることにより、トナー像Ｇを用紙Ｐに転写させるようになっている。なお、感光体９４と転写ロール９５とで用紙Ｐが挟まれる部位を転写ニップ部Ｑと称する。
【００８１】
下流側案内板８４は、用紙Ｐの搬送方向における転写ニップ部Ｑよりも下流側でかつ搬送経路Ｄに対する転写ロール９５側であり用紙Ｐと接触する位置に配置されている。さらに、下流側案内板８４は、転写ニップ部Ｑから排出された用紙Ｐを搬送経路Ｄに沿って案内する。加えて、下流側案内板８４は、用紙Ｐのトナー像Ｇが転写された面ＰＡとは反対側の面ＰＢと接触する。
【００８２】
接触ロール４４は、用紙Ｐの搬送方向における下流側案内板８４よりも下流側に設けられている。また、接触ロール４４は、搬送経路Ｄに対して、下流側案内板８４よりも−Ｙ側に配置されている。接触ロール４４の表面粗さは、下流側案内板８４の案内面８４Ａの表面粗さよりも小さい。さらに、接触ロール４４には、ソレノイド６２と、接触ロール４４をソレノイド６２に向けて押付ける図示しないコイルバネとが設けられている。これにより、接触ロール４４は、搬送経路Ｄに対して、下流側案内板８４よりも−Ｙ側の退避位置と、下流側案内板８４よりもＹ側の突出位置とに移動可能とされている。
【００８３】
接触ロール４４は、用紙Ｐを転写ニップ部Ｑから引抜くときに、搬送経路Ｄ側に突出され、用紙Ｐの面ＰＢと接触する。具体的には、接触ロール４４には、用紙Ｐの下流側案内板８４で案内される側の面ＰＢが引抜きに伴って巻き掛けられる。そして、接触ロール４４は、用紙Ｐの引抜きに伴って回転する構成とされている。
【００８４】
[作用]
次に、第３実施形態の作用について説明する。
【００８５】
図７（Ａ）に示す搬送部９２及び転写装置９０では、用紙Ｐの引抜き作業が不要の場合は、接触ロール４４が退避位置に位置している。一方、図７（Ｂ）に示すように、用紙Ｐが転写ニップ部Ｑで詰まるなどして、用紙Ｐの引抜き作業が必要の場合は、接触ロール４４がソレノイド６２によって突出位置に移動され、用紙Ｐと接触する。
【００８６】
ここで、搬送部９２では、接触ロール４４が用紙Ｐの面ＰＢと接触して用紙Ｐを引抜経路Ｅに対する−Ｙ側から支持することで、用紙Ｐにおける転写ニップ部Ｑと接触ロール４４との間の部位に張力が作用する。これにより、用紙Ｐが下流側案内板８４に対して離れる側（Ｙ側）に変位するので、接触ロール４４が無い構成に比べて、下流側案内板８４の摩耗が抑制される。
【００８７】
また、搬送部９２では、接触ロール４４の表面４５の表面粗さが、下流側案内板８４の案内面８４Ａの表面粗さよりも小さい。このため、用紙Ｐを引抜くときに接触ロール４４と用紙Ｐとの接触により生じる摩擦力（引抜抵抗力）が、表面４５の表面粗さが案内面４２Ａの表面粗さよりも大きい構成に比べて低減される。
【００８８】
なお、本発明は、上記の実施形態に限定されない。
【００８９】
画像形成装置は、用紙Ｐを搬送する搬送ロールと、該搬送ロールよりも下流側で用紙Ｐを案内する案内板と、該案内板よりも下流側に設けられた接触ロールとを有する搬送装置に加えて、該案内板上の用紙Ｐにインクを吐出する吐出部を配置した構成であってもよい。また、画像形成装置は、該搬送ロールと、該搬送ロールよりも上流側で用紙Ｐを案内する案内板と、該案内板よりも上流側に設けられた接触ロールとを有する搬送装置に加えて、該搬送ロールよりも下流側に該吐出部を配置した構成であってもよい。
【００９０】
搬送部３２、６０、８２、９２において、用紙Ｐの引抜抵抗力が抑制されるのであれば、接触ロール４４を回転しない巻掛部材に変更してもよい。また、接触ロール４４は、用紙Ｐの引っ掛かりが問題とならない場合は、円柱状に限らず、Ｚ方向の一部に段差（外径が小さい部位）が形成されていてもよい。さらに、接触ロール４４の外周面は、用紙Ｐの搬送方向から見た場合に、直線状、クラウン状、逆クラウン状のいずれであってもよい。巻掛部材が回転する場合には、巻掛部材の表面粗さが案内部材の表面粗さよりも大きくてもよい。加えて、用紙Ｐの引抜経路が定着装置よりも下流側にある場合は、用紙Ｐの面ＰＡと巻掛部材とが接触してもよい。
【００９１】
搬送ロール対３６は、定着ロール５２のみに加熱源が設けられた構成に限らず、加圧ロール５４側に加熱源が設けられた構成であってもよい。また、搬送ロール対３６の外周面は、用紙Ｐの搬送方向から見た場合に、直線状、クラウン状、逆クラウン状のいずれであってもよい。搬送部材は、ロール対に限らず、一方又は両方が無端状のベルトで構成されていてもよい。
【００９２】
案内面４２Ａ及び案内面８４Ａは、平面状に限らず、Ｚ方向から見た場合に搬送経路Ａ側に凸又は凹となる曲面状であってもよい。また、上流側案内板４２及び下流側案内板８４は、Ｚ方向から見た場合に搬送経路Ａ側に凸又は凹となるように湾曲されていてもよい。
【００９３】
図８（Ａ）に示すように、接触ロール４４の外周面に、例えばフッ素樹脂で構成された離型層１０２を形成して、用紙Ｐとの接触により生じる摩擦力を低下させてもよい。この構成において、フッ素樹脂と用紙Ｐとの接触によって生じる静電引力は、引抜抵抗力に比べて小さいため、引抜抵抗力の抑制に対しては影響はほとんど無い。また、巻掛部材は、接触ロール４４のように回転体に限らない。例えば、図８（Ｂ）に示すように、断面が半円形状でＺ方向に長い巻掛部材１０４を、ブラケットなどを用いて引抜経路に固定してもよい。また、図８（Ｃ）に示すように、巻掛部材１０４の外周面に離型層１０６を形成してもよい。さらに、図８（Ｂ）、（Ｃ）に示す巻掛部材１０４を、ソレノイド６２（図４（Ｂ）参照）を用いて、引抜経路に対して移動させてもよい。
【００９４】
搬送装置は、搬送部３２、６０、８２、９２のように、定着装置３０、転写装置９０に設けられるものに限らず、画像形成装置１０の定着装置３０、転写装置９０以外の搬送経路Ａに設けられるものであってもよい。また、画像形成装置１０以外で、用紙Ｐやフィルムなどの記録媒体を搬送するものであってもよい。
【符号の説明】
【００９５】
１０  画像形成装置
２４  画像形成部（現像剤像形成手段の一例）
３２  搬送部（搬送装置の一例）
３６  搬送ロール対（搬送部材の一例）
４２  上流側案内板（案内部材の一例）
４２Ａ  案内面
４４  接触ロール（巻掛部材の一例）
４５  表面
６０  搬送部（搬送装置の一例）
７０  画像形成装置
８２  搬送部（搬送装置の一例）
８４  下流側案内板（案内部材の一例）
８４Ａ  案内面
８６  接触ロール（巻掛部材の一例）
８７  表面
９２  搬送部（搬送装置の一例）
９４  感光体（搬送部材の一例）
９５  転写ロール（搬送部材の一例）
Ａ  搬送経路
Ｄ  搬送経路
ＰＢ  面
【図１】
2018146743.tif 000003
【図２】
2018146743.tif 000004
【図３】
2018146743.tif 000005
【図４】
2018146743.tif 000006
【図５】
2018146743.tif 000007
【図６】
2018146743.tif 000008
【図７】
2018146743.tif 000009
【図８】
2018146743.tif 000010